【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
製品を載置する載置台と、製品の上に配置される天板と、前記載置台と前記天板の間に配置され前記載置台と前記天板間に形成される製品搭載部の高さを規定する複数の規定部材とを有する梱包装置において、
前記載置台と前記天板とを連結し、前記規定部材を間に挟んで前記載置台と前記天板とを締結させる締結手段を備え、
前記締結手段が分割可能に構成されていることを特徴とする梱包装置。
【請求項２】
製品を載置する載置台と、製品の上に配置される天板と、前記載置台と前記天板の間に配置され前記載置台と前記天板間に形成される製品搭載部の高さを規定する複数の規定部材とを有する梱包装置において、
前記載置台と前記天板とを連結し、前記規定部材を間に挟んで前記載置台と前記天板とを締結させる締結手段を備え、
前記締結手段が前記載置台と前記天板との間で前記載置台と前記天板との連結を解除する解除手段を有することを特徴とする梱包装置。
【請求項３】
前記締結手段が当該梱包装置の対向する２面に配置されていることを特徴とする、請求項１または２に記載の梱包装置。
【請求項４】
前記規定部材は当該梱包装置の対向する２面を覆うように配置され、前記締結手段が前記規定部材の配置されない面に設けられていることを特徴とする、請求項１〜３のいずれか１項に記載の梱包装置。
【請求項５】
前記締結手段が、前記対向する２面の各面に１対ずつ設けられていることを特徴とする、請求項３に記載の梱包装置。
【請求項６】
前記１対の締結手段が、前記載置台及び前記天板の幅方向の両端部近傍を結んで交差配置されることを特徴とする、請求項５に記載の梱包装置。
【請求項７】
前記締結手段が長さ調節機構を有することを特徴とする、請求項１〜６のいずれか１項に記載の梱包装置。
【請求項８】
前記締結手段が締結ベルトであることを特徴とする、請求項１〜７のいずれか１項に記載の梱包装置。
【請求項９】
前記１対の締結手段のそれぞれが、前記載置台に支持される下端部と、前記天板に支持される上端部と、残余部に分割可能に設けられ、前記下端部と前記上端部とが連結可能に構成されていることを特徴とする、請求項５に記載の梱包装置。
【請求項１０】
前記分割可能な締結手段が連結手段により分割及び連結されることを特徴とする、請求項１，３〜９のいずれか１項に記載の梱包装置。
【請求項１１】
前記締結手段を分割した場合に、前記天板に支持された一部及び前記載置台に支持された一部以外の残余部がフリー部となり、該フリー部により前記複数の規定部材を一体的に締結可能なことを特徴とする、請求項９に記載の梱包装置。
【請求項１２】
前記規定部材には、前記締結手段のフリー部を保持するための保持手段が設けられていることを特徴とする、請求項１１に記載の梱包装置。
【請求項１３】
前記保持手段は、前記締結手段のフリー部を保持しないとき、前記規定部材に沿った形状となることを特徴とする、請求項１２に記載の梱包装置。
【請求項１４】
前記保持手段は、前記締結手段のフリー部を保持しないとき、前記規定部材の内部に収納されることを特徴とする、請求項１２に記載の梱包装置。
【請求項１５】
前記保持手段は、前記複数の規定部材において同じ高さに設けられていることを特徴とする、請求項１２，１３，１４のいずれか１項に記載の梱包装置。
【請求項１６】
製品を載置する載置台と、製品の上に配置される天板とを少なくとも有する梱包装置において、
前記載置台と前記天板とを連結し、製品を間に挟んで前記載置台と前記天板とを締結させる締結手段を備え、
前記締結手段が前記載置台と前記天板との間で前記載置台と前記天板との連結を解除する解除手段を有することを特徴とする梱包装置。
【請求項１７】
製品非搭載時は、１対の前記載置台と前記天板とを重ね合わせ、前記締結手段により前記載置台と前記天板とを締結させて運搬可能であることを特徴とする請求項１６に記載の梱包装置。
【請求項１８】
前記締結手段の少なくとも一方側の端部が前記載置台又は／及び天板に回動可能に支持されていることを特徴とする、請求項１，２，１７のいずれか１項に記載の梱包装置。
【請求項１９】
前記載置台は、前記締結手段を収納する締結手段収納部を有することを特徴とする、請求項１，２，１７のいずれか１項に記載の梱包装置。
【請求項２０】
製品の非搭載時に前記天板を前記載置台上に重ねて載置可能に設けられ、該天板を前記載置台上に載置する際の位置決め部材を前記天板から下方に突出させて設けたことを特徴とする、請求項１，２，１７のいずれか１項に記載の梱包装置。
【請求項２１】
前記載置台又は／及び前記天板に製品を保護するための緩衝部材が装着されており、前記位置決め部材の高さが前記緩衝部材の高さと略同一に形成されていることを特徴とする、請求項２０に記載の梱包装置。
【手続補正２】
【補正対象書類名】明細書
【補正対象項目名】０００８
【補正方法】変更
【補正の内容】
【０００８】
前記の課題は、本発明により、製品を載置する載置台と、製品の上に配置される天板と、前記載置台と前記天板の間に配置され前記載置台と前記天板間に形成される製品搭載部の高さを規定する複数の規定部材とを有する梱包装置において、前記載置台と前記天板とを連結し、前記規定部材を間に挟んで前記載置台と前記天板とを締結させる締結手段を備え、前記締結手段が分割可能に構成されていることにより解決される。
また、前記の課題は、本発明により、製品を載置する載置台と、製品の上に配置される天板と、前記載置台と前記天板の間に配置され前記載置台と前記天板間に形成される製品搭載部の高さを規定する複数の規定部材とを有する梱包装置において、前記載置台と前記天板とを連結し、前記規定部材を間に挟んで前記載置台と前記天板とを締結させる締結手段を備え、前記締結手段が前記載置台と前記天板との間で前記載置台と前記天板との連結を解除する解除手段を有することにより解決される。
【手続補正３】
【補正対象書類名】明細書
【補正対象項目名】０００９
【補正方法】変更
【補正の内容】
【０００９】
また、前記の課題を解決するため、本発明は、前記締結手段が当該梱包装置の対向する２面に配置されていることを提案する。
また、前記の課題を解決するため、本発明は、前記規定部材は当該梱包装置の対向する２面を覆うように配置され、前記締結手段が前記規定部材の配置されない面に設けられていることを提案する。
【手続補正４】
【補正対象書類名】明細書
【補正対象項目名】００１２
【補正方法】変更
【補正の内容】
【００１２】
また、前記の課題を解決するため、本発明は、前記１対の締結手段のそれぞれが、前記載置台に支持される下端部と、前記天板に支持される上端部と、残余部に分割可能に設けられ、前記下端部と前記上端部とが連結可能に構成されていることを提案する。
【手続補正５】
【補正対象書類名】明細書
【補正対象項目名】００１３
【補正方法】変更
【補正の内容】
【００１３】
また、前記の課題を解決するため、本発明は、前記分割可能な締結手段が連結手段により分割及び連結されることを提案する。
【手続補正６】
【補正対象書類名】明細書
【補正対象項目名】００１６
【補正方法】変更
【補正の内容】
【００１６】
また、前記の課題は、本発明により、製品を載置する載置台と、製品の上に配置される天板とを少なくとも有する梱包装置において、前記載置台と前記天板とを連結し、製品を間に挟んで前記載置台と前記天板とを締結させる締結手段を備え、前記締結手段が前記載置台と前記天板との間で前記載置台と前記天板との連結を解除する解除手段を有することにより解決される。
【手続補正７】
【補正対象書類名】明細書
【補正対象項目名】００１７
【補正方法】変更
【補正の内容】
【００１７】
また、前記の課題を解決するため、本発明は、製品非搭載時は、１対の前記載置台と前記天板とを重ね合わせ、前記締結手段により前記載置台と前記天板とを締結させて運搬可能であることを提案する。
【手続補正８】
【補正対象書類名】明細書
【補正対象項目名】００２１
【補正方法】変更
【補正の内容】
【００２１】
以上説明したように、本発明の梱包装置によれば、規定部材を間に挟んで載置台と天板を締結手段で直接連結して締結することにより、梱包強度・製品固定強度に優れた梱包装置を簡単な構成で得ることができる。また、梱包装置の組み立て（梱包作業）と分解（開梱作業）が容易になる。さらに、各部材間における接合・固定のための構成（穴とボルト及びナット、部材同士の填め合わせによる固定部等）が不要となり、また、接合・固定のための構成が不要なことからその部分における部材強度を要求されず、梱包装置のコストを低下させることができる。
また、請求項２の梱包装置においては、締結手段が載置台と天板との間で載置台と天板との連結を解除する解除手段を有するので、製品の高さ内での連結手段の解除が可能となり、梱包及び開梱作業性が向上する。
【手続補正９】
【補正対象書類名】明細書
【補正対象項目名】００２２
【補正方法】変更
【補正の内容】
【００２２】
請求項３の構成により、締結手段を対向する２面に配置したことで、バランスの良い締結を行なうことができる。
請求項４の構成により、締結手段が規定部材の配置されない面に設けられているので、締結手段と規定部材が干渉することがない。また、規定部材のない面を締結手段により保護することができる。
【手続補正１０】
【補正対象書類名】明細書
【補正対象項目名】００２３
【補正方法】変更
【補正の内容】
【００２３】
請求項５の構成により、対向する２面の各面に１対ずつ締結手段を設けたことで、よりしっかりとした梱包を行なうことができる。
請求項６の構成により、載置台及び天板の幅方向の両端部近傍を結んで締結手段が交差配置されるので、梱包強度を高め、より確実な梱包を行なうことができる。
【手続補正１１】
【補正対象書類名】明細書
【補正対象項目名】００２４
【補正方法】変更
【補正の内容】
【００２４】
請求項７の構成により、締結手段が長さ調節機構を有するので、梱包及び開梱作業が容易になる。
請求項８の構成により、締結手段を締結ベルトとすることで、強度・取り扱い性等に優れた締結手段を容易に準備することができる。
【手続補正１２】
【補正対象書類名】明細書
【補正対象項目名】００２５
【補正方法】変更
【補正の内容】
【００２５】
請求項９の構成により、梱包及び開梱作業が容易になるとともに、分割した締結手段の上端部と下端部とを連結することにより天板と載置台を連結することができる。したがって、回収・保管時に天板と載置台がバラバラとならず、回収及び保管が容易かつ確実になる。
【手続補正１３】
【補正対象書類名】明細書
【補正対象項目名】００２９
【補正方法】変更
【補正の内容】
【００２９】
請求項１５の構成により、保持手段が複数の規定部材において同じ高さに設けられているので、複数の規定部材を容易に確実に締結することができる。
請求項１６の梱包装置によれば、製品の高さ内での連結手段の解除が可能となり、梱包及び開梱作業性が向上する。
【手続補正１４】
【補正対象書類名】明細書
【補正対象項目名】００３０
【補正方法】変更
【補正の内容】
【００３０】
請求項１７の構成により、製品非搭載時に載置台と天板とがバラバラになることがなく、回収運搬が容易になる。
請求項１８の構成により、締結手段の少なくとも一方側の短部が載置台又は（及び）天板に回動可能に支持されているので、締結時における締結手段の負担を増加させることなく、確実な締結を行なうことができる。